(57)【要約】【課題】ロール状に巻いてプリンターに装填し、ラベル基材２の表面側に印字を可能とし、固定情報のみならず、可変情報も必要に応じて印字表示可能であり、剥離紙自体を必要とせず、省資源的で環境への負荷がより少ないとともに、各種の分野に応用可能な自着ラベル連続体および自着ラベルを提供すること。【解決手段】ラベル基材２の表面側に感熱発色剤層１１を設けて、サーマル印字を可能とすることに着目したもので、帯状のラベル基材２と、ラベル基材２の裏面側に設けた自着接着剤層３と、を有する自着ラベル連続体であって、ラベル基材２の表面側に設けた感熱発色剤層１１と、感熱発色剤層１１の上層に設けた剥離剤層１２と、を有するとともに、ラベル基材２には、所定のラベルピッチによる単葉の自着ラベル１３を形成可能な分離用切断線４を形成しておく。【選択図】図２
2013114217.tif 000002
【特許請求の範囲】
【請求項１】
帯状のラベル基材と、
このラベル基材の裏面側に設けた自着接着剤層と、を有する自着ラベル連続体であって、
前記ラベル基材の表面側に設けた感熱発色剤層と、
この感熱発色剤層の上層に設けた剥離剤層と、を有するとともに、
前記ラベル基材には、所定のラベルピッチによる単葉の自着ラベルを形成可能な分離用切断線を形成していることを特徴とする自着ラベル連続体。
【請求項２】
当該自着ラベル連続体は、これをロール状としてサーマルプリンターに装填し、前記感熱発色剤層に可変情報を印字可能としていることを特徴とする請求項１記載の自着ラベル連続体。
【請求項３】
前記ラベル基材の裏面側に前記自着ラベルの位置検出用マークを設けていることを特徴とする請求項１または２記載の自着ラベル連続体。
【請求項４】
前記自着接着剤層は、前記ラベル基材の裏面側においてその側縁部からわずかな間隔をあけて、これを形成していることを特徴とする請求項１ないし３のいずれかに記載の自着ラベル連続体。
【請求項５】
ラベル基材と、
このラベル基材の裏面側に設けた自着接着剤層と、を有する自着ラベルであって、
前記ラベル基材の表面側に設けた感熱発色剤層と、
この感熱発色剤層の上層に設けた剥離剤層と、を有することを特徴とする自着ラベル。
【発明の詳細な説明】
【技術分野】
【０００１】
本発明は自着ラベル連続体および自着ラベルにかかるもので、とくに接着剤どうしは接着するが、一般的な紙材やフィルム材などその他の部材には接着しにくい特性を有する自着ラベル連続体および自着ラベルに関するものである。
【背景技術】
【０００２】
従来からの自着ラベル連続体および自着ラベルについて、図７および図８にもとづき概説する。
図７は、従来の自着ラベル連続体１の断面図であって、自着ラベル連続体１は、帯状のラベル基材２と、ラベル基材２の裏面側に設けた自着接着剤層３と、を有する。
【０００３】
ラベル基材２は、表面が比較的粗いクラフト紙や上質紙、その他任意の紙材あるいは合成樹脂材などからこれを構成し、ミシン目などによる分離用切断線４を形成して、所定のラベルピッチで単葉の自着ラベル５を形成可能である。
【０００４】
自着接着剤層３の自着接着剤は、自着接着剤層３の面どうしを接触加圧すれば互いに強固に接着するが、無理やりはがそうとすれば自着接着剤層３自体が自着ラベル連続体１（自着ラベル５）の裏面側からはがされてしまうほどである一方、自着接着剤層３を他の部材に押し付けても接着しにくい特性を有している。
したがって、一般的な感圧接着剤層を有するラベルが剥離紙（台紙）をその裏打ちに必要とするのに対して、剥離紙自体を必要としないので、省資源であるとともに環境への負荷がより少ないという利点がある。
【０００５】
自着ラベル５の表面側には、任意の表示情報、たとえば「精算済み」などの固定情報６をあらかじめ印刷してある。
【０００６】
こうした構成の自着ラベル連続体１を使用するにあたっては、分離用切断線４の部分で自着ラベル５を分離切り離し、任意の物品に取り付ける。
たとえば図８は、スーパーなどの小売店に購買者が自前で持参するマイバスケット７の取っ手８に自着ラベル５を取り付けた例を示す斜視図である。
図示のように、自着ラベル５を取っ手８に掛け回し、自着ラベル５の自着接着剤層３すなわち裏面どうしを合わせて軽く加圧すれば、自着ラベル５自体を取っ手８にリング状に取り付けることができ、たとえば「精算済み」などの固定情報６を表示して、マイバスケット７内の購入商品９についての支払い精算が完了していることを示すことができる。
【０００７】
しかしながら、上述のような自着ラベル連続体１（自着ラベル５）の自着接着剤層３は、接着性はないものの、多少のべた付きがあるため、自着ラベル連続体１をロール状に巻いて、任意のプリンター（図示せず）に装填し、機械的に帯状に繰り出すことが困難で、したがって、ラベル基材２の表面側に熱転写印字するには支障があるという問題がある。ラベル基材２に感熱紙を用いることも考えられるが、感熱紙の表面は平滑性が高いため、自着性接着剤層３とブロッキングする不具合を生じるという問題がある。
すなわち、自着ラベル連続体１の製造工程の途中において、ラベル基材２の裏面側に自着接着剤層３を塗工する前にラベル基材２の表面側に固定情報６をあらかじめ印刷表示することはできても、小売店その他の現場において必要な情報を可変情報として臨機応変に表示することは困難であるという問題がある。
すなわち、自着ラベル５が表示可能な情報として、あらかじめ設定された単純な広告情報やデザインなどの固定情報に限定されて、利用分野が狭いという問題がある。
【先行技術文献】
【特許文献】
【０００８】
【特許文献１】実開昭６０−８２４４０号公報
【発明の概要】
【発明が解決しようとする課題】
【０００９】
本発明は以上のような諸問題にかんがみなされたもので、固定情報のみならず、可変情報も必要に応じて印字表示可能な自着ラベル連続体および自着ラベルを提供することを課題とする。
【００１０】
また本発明は、ロール状に巻いてプリンターに装填し、ラベル基材の表面側に印字を可能とした自着ラベル連続体および自着ラベルを提供することを課題とする。
【００１１】
また本発明は、剥離紙自体を必要とせず、省資源的で環境への負荷がより少ないとともに、各種の分野に応用可能で、その利用分野を拡大可能な自着ラベル連続体および自着ラベルを提供することを課題とする。
【課題を解決するための手段】
【００１２】
すなわち本発明は、ラベル基材の表面側に感熱発色剤層を設けて、サーマル印字を可能とすることに着目したもので、第一の発明は、帯状のラベル基材と、このラベル基材の裏面側に設けた自着接着剤層と、を有する自着ラベル連続体であって、上記ラベル基材の表面側に設けた感熱発色剤層と、この感熱発色剤層の上層に設けた剥離剤層と、を有するとともに、上記ラベル基材には、所定のラベルピッチによる単葉の自着ラベルを形成可能な分離用切断線を形成していることを特徴とする自着ラベル連続体である。
【００１３】
当該自着ラベル連続体は、これをロール状としてサーマルプリンターに装填し、上記感熱発色剤層に可変情報を印字可能とすることができる。
【００１４】
上記ラベル基材の裏面側に上記自着ラベルの位置検出用マークを設けていることができる。
【００１５】
上記自着接着剤層は、上記ラベル基材の裏面側においてその側縁部からわずかな間隔をあけて、これを形成していることができる。
【００１６】
第二の発明は、ラベル基材と、このラベル基材の裏面側に設けた自着接着剤層と、を有する自着ラベルであって、上記ラベル基材の表面側に設けた感熱発色剤層と、この感熱発色剤層の上層に設けた剥離剤層と、を有することを特徴とする自着ラベルである。
【発明の効果】
【００１７】
本発明による自着ラベル連続体および自着ラベルにおいては、ラベル基材の表面側に感熱発色剤層および剥離剤層を設けることにより、サーマルプリンターへの装填およびサーマル印字を可能とすることにより、必要に応じて可変情報を印字して、任意の物品に取り付けることができるため、広告表示はもちろん、価格表示や各種の管理用情報の表示など各種の分野における活用が可能である。
【００１８】
とくに第一の発明の自着ラベル連続体によれば、帯状の自着ラベル連続体をロール状に巻いた状態でサーマルプリンターに装填可能であり、任意の情報を可変的に印字した上で、分離用切断線の部分で単葉の自着ラベルに切り離すことができる。
【００１９】
とくに第二の発明の自着ラベルによれば、可変情報を印字した状態で、自着接着剤層どうしを貼り付けたリング状の形態で任意の物品に取り付けることができる。
【図面の簡単な説明】
【００２０】
【図１】本発明の実施例による自着ラベル連続体１０の平面図である。
【図２】同、図１のＩＩ−ＩＩ線断面図である。
【図３】同、自着ラベル連続体１０の裏面図である。
【図４】同、サーマルプリンター１７の概略側面図である。
【図５】同、自着ラベル１３の平面図である。
【図６】同、任意の商品Ｍに自着ラベル１３を取り付けた状態の斜視図である。
【図７】従来の自着ラベル連続体１の断面図である。
【図８】同、スーパーなどの小売店に購買者が自前で持参するマイバスケット７の取っ手８に自着ラベル５を取り付けた例を示す斜視図である。
【発明を実施するための形態】
【００２１】
本発明は、ラベル基材の表面側に感熱発色剤層および剥離剤層を設けて、サーマル印字を可能とすることにより、必要に応じて可変情報を印字して、任意の物品に取り付けることができる自着ラベル連続体および自着ラベルを実現した。
【実施例】
【００２２】
つぎに本発明の実施例による自着ラベル連続体および自着ラベルを図１ないし図６にもとづき説明する。ただし、図７および図８と同様の部分には同一符号を付し、その詳述はこれを省略する。
図１は、自着ラベル連続体１０の平面図、図２は、図１のＩＩ−ＩＩ線断面図であって、自着ラベル連続体１０は、前記帯状のラベル基材２と、ラベル基材２の裏面側に設けた前記自着接着剤層３と、ラベル基材２の表面側に設けた感熱発色剤層１１と、感熱発色剤層１１の上層に設けた剥離剤層１２と、を有する。
【００２３】
ラベル基材２としては、たとえば、紙、ＰＥＴフィルム、ＰＰフィルム、合成紙、紙と合成樹脂の複合材料が使用可能である。
ラベル基材２には、所定のラベルピッチでミシン目などによる前記分離用切断線４を形成し、単葉の自着ラベル１３を形成可能としている。
【００２４】
自着接着剤層３の自着接着剤としては、天然ゴムラテックスおよびスチレン・アクリルニトリル共重合体水性エマルジョンを含む、たとえばサイデン化学株式会社のサイビノール加圧接着剤Ｅ、あるいは天然ゴムおよびスチレン・イソプレン・スチレンブロック共重合体を含むエラストマーなどを用いることができる。
【００２５】
感熱発色剤層１１は、任意の感熱発色剤を塗工した層であって、所定の加熱操作により任意の印字パターンによる情報の印字が可能である。
【００２６】
剥離剤層１２は、紫外線硬化型シリコーンなどの剥離剤を塗工した層であって、自着ラベル連続体１０をロール状に巻いた形態であっても、自着接着剤層３と感熱発色剤層１１とが互いに貼り付いてしまうことを防止可能である。
【００２７】
ラベル基材２の裏面側には、自着ラベル１３の位置検出用マーク１４を設けている。
ただし、位置検出用マーク１４としては、ラベル基材２の裏面側（図２中、実線）あるいは自着接着剤層３の裏面側（図２中、仮想線）のいずれであってもよい。
【００２８】
図３は、自着ラベル連続体１０の裏面図であって、自着接着剤層３は、ラベル基材２（自着ラベル連続体１０）の裏面側においてその側縁部２Ａからわずかな間隔をあけて設けた細幅非接着領域１５を介して、これを形成している。
したがって、自着ラベル連続体１０の製造工程において、いわゆる大巻として複数列に並列している自着ラベル連続体１０を、いわゆる小卷としての単列の自着ラベル連続体１０に切り分ける際に、隣り合う自着ラベル連続体１０どうしがそれぞれの自着接着剤層３により互いにくっつき合うことを回避可能としている。
【００２９】
なお感熱発色剤層１１の上層側には、たとえば「○×スーパー」などの固定情報１６をあらかじめ印刷してある。
【００３０】
図４は、サーマルプリンター１７の概略側面図であって、自着ラベル連続体１０は、これをロール状としてサーマルプリンター１７に装填し、感熱発色剤層１１に可変情報を印字可能としている。
すなわち、サーマルプリンター１７は、自着ラベル連続体１０の供給部１８と、位置検出部１９と、印字部２０と、を有する。
【００３１】
供給部１８は、帯状の自着ラベル連続体１０をロール状に保持し、位置検出部１９および印字部２０の方向に自着ラベル連続体１０を帯状に繰り出し可能である。
【００３２】
位置検出部１９は、たとえば光学的な位置検出センサー２１を有し、自着ラベル連続体１０の位置検出用マーク１４を検出して、印字部２０に対する自着ラベル１３の相対的位置を検出する。
【００３３】
印字部２０は、サーマルヘッド２２と、プラテンローラー２３と、を有し、サーマルヘッド２２およびプラテンローラー２３の間に自着ラベル連続体１０を挟持して、プラテンローラー２３の回転にともなってサーマルヘッド２２からの印字信号により自着ラベル連続体１０上（自着ラベル１３の感熱発色剤層１１内）に任意の可変情報２４（図５を参照、たとえば、「本日限り！  値引き価格  ￥１，０００）を印字可能である。
なお、プラテンローラー２３は、剥離性を有する材料からこれを製造するか、あるいはその円周面に剥離剤を塗布しておくことが望ましい。
【００３４】
こうした構成の自着ラベル連続体１０（自着ラベル１３）において、自着ラベル連続体１０をサーマルプリンター１７（図４）にロール状に装填して可変情報２４を印字し、分離用切断線４の部分で単葉の自着ラベル１３とすることができる。
すなわち、図５は、自着ラベル１３の平面図であって、その表面側に固定情報１６および可変情報２４を表示可能である。
【００３５】
図６は、任意の商品Ｍに自着ラベル１３を取り付けた状態の斜視図であって、帯状の自着ラベル１３を商品Ｍに掛け回し、自着ラベル１３の両端部における自着接着剤層３を互いに合わせて接着し、商品Ｍに自着ラベル１３をリング状に取り付けておくことができる。
なお、自着ラベル１３の自着接着剤層３どうしを接着した部分は、容易にはがすことができず、無理にはがすとラベル基材２が破れるか、または、自着接着剤層３がラベル基材２から剥離する。そのため、図５および図６に示したような値引きラベルや、精算済みを表すラベルとして自着ラベル１３を利用した場合でも、貼替えや再利用などの不正行為を防止することが可能である。
【００３６】
かくして、本発明の自着ラベル連続体１０（自着ラベル１３）によれば、固定情報１６に加えて、必要に応じて可変情報２４を表示可能であり、その利用範囲を、例示した価格表示はもちろん、各種の広告表示や管理表示などに拡大可能である。
【００３７】
さらに、従来の感圧ラベルとは異なって剥離紙（台紙）を用いる必要がないので、省資源であるとともに、環境への負荷を低減することができる。
【符号の説明】
【００３８】
１  自着ラベル連続体（従来、図７）
２  帯状のラベル基材
２Ａ  ラベル基材の側縁部（図３）
３  自着接着剤層
４  ミシン目などによる分離用切断線
５  自着ラベル
６  固定情報
７  マイバスケット
８  取っ手
９  購入商品
１０  自着ラベル連続体（実施例、図１〜図３）
１１  感熱発色剤層
１２  剥離剤層
１３  自着ラベル（実施例、図５）
１４  位置検出用マーク
１５  細幅非接着領域
１６  固定情報
１７  サーマルプリンター（図４）
１８  供給部
１９  位置検出部
２０  印字部
２１  位置検出センサー
２２  サーマルヘッド
２３  プラテンローラー
２４  可変情報
Ｍ    商品（図６）
【図１】
2013114217.tif 000003
【図２】
2013114217.tif 000004
【図３】
2013114217.tif 000005
【図４】
2013114217.tif 000006
【図５】
2013114217.tif 000007
【図６】
2013114217.tif 000008
【図７】
2013114217.tif 000009
【図８】
2013114217.tif 000010